(57)【要約】【課題】  間隔が狭い波長の分波を行うことが可能な多波長分波素子を提供する。【解決手段】  入射光のうち最も波長λ１のＰ波Ｐ１を反射すると共に、入射光すべてのＳ波（Ｓ１〜Ｓ３）を反射し、且つ、波長λ２、λ３のＰ波（Ｐ２、Ｐ３）を透過する第１の波長分離膜１５と、第１の波長分離膜１５により反射された光のうち、波長λ１のＰ波Ｐ１及びＳ波Ｓ１を透過すると共に、波長λ１以外のＳ波Ｓ２、Ｓ３を反射する第２の波長分離膜１８とを有する第１の複合プリズム１０と、波長λ２、λ３のＰ波Ｐ２、Ｐ３のうち、波長λ２のＰ波Ｐ２を反射すると共に、それ以外のＰ波Ｐ３を透過する第３の波長分離膜２５と、波長λ２のＳ波Ｓ２を反射すると共に、波長λ３のＳ波Ｓ３を透過する第４の波長分離膜２８とを有する第２の複合プリズム２０とを備えるようにした。【選択図】      図１
2006135539.tif 000002
【特許請求の範囲】
【請求項１】
複数の異なる波長の光を入射光とする多波長分波素子であって、
前記入射光のうち、最も波長の短い光の第１偏光成分を反射すると共に、前記入射光すべての第２偏光成分を反射し、且つ、前記最も波長の短い光以外の光の第１偏光成分を透過する第１の波長分離膜と、前記第１の波長分離膜により反射された光のうち、最も波長の短い光の第１偏光成分及び第２偏光成分を透過すると共に、前記最も波長の短い光以外の光の第２偏光成分を反射する第２の波長分離膜と、を有する第１の複合プリズムと、
複数の異なる波長の第１偏光成分の光を入射光とし、該入射光のうち、最も波長の短い光の第１偏光成分を反射すると共に、それ以外の光の第１偏光成分を透過する第３の波長分離膜と、複数の異なる波長の第２偏光成分の光を入射光とし、該入射光のうち、最も波長の短い光の第２偏光成分を反射すると共に、それ以外の光の第２偏光成分を透過する第４の波長分離膜と、を有する第２の複合プリズムと、
を備えていることを特徴とする多波長分波素子。
【請求項２】
前記第１の複合プリズムの第１の波長離膜を透過した光が、前記第２の複合プリズムの第３の波長分離膜側の入射光であり、前記第１の複合プリズムの第２の波長分離膜を反射した光が、前記第２の複合プリズムの第４の波長分離膜側の入射光であることを特徴とする請求項１に記載の多波長分波素子。
【請求項３】
前記第１の複合プリズムと前記第２の複合プリズムとの間に１／２波長板を設けたことを特徴とする請求項１に記載の多波長分波素子。
【請求項４】
前記第２の複合プリズムを、前記第２の複合プリズムの透過経路上に複数配置したことを特徴とする請求項１に記載の多波長分波素子。
【請求項５】
前記第２の複合プリズム間に１／２波長板を設けたことを特徴とする請求項４に記載の多波長分波素子。
【請求項６】
３つの異なる波長の光を入射光とする多波長分波素子であって、
前記入射光のうち、最も波長の短い光の第１偏光成分を反射すると共に、前記入射光すべての第２偏光成分を反射し、且つ、前記入射光のうち、最も波長の短い光以外の２つの光の第１偏光成分を透過する第１の波長分離膜と、
前記第１の波長分離膜により反射された光のうち、最も波長の短い光の第１偏光成分及び第２偏光成分を透過すると共に、前記最も波長の短い光以外の２つの光の第２偏光成分を反射する第２の波長分離膜と、
前記第１の波長分離膜を透過した光のうち、波長が短い方の光の第１偏光成分を反射すると共に、波長の長い方の光の第１偏光成分を透過する第３の波長分離膜と、
前記第２の波長分離膜により反射された光のうち、波長が短い方の光の第２偏光成分を反射すると共に、波長の長い方の光の第２偏光成分を透過する第４の波長分離膜と、
を備えていることを特徴とする多波長分波素子。
【請求項７】
複数の異なる波長の光を入射光とする多波長分波素子であって、
前記入射光のうち、最も波長の短い光の第１偏光成分を反射すると共に、前記入射光すべての第２偏光成分を反射し、且つ、前記最も波長の短い光以外の光の第１偏光成分を透過する第１の波長分離膜と、前記第１の波長分離膜により反射された光のうち、最も波長の短い光の第１偏光成分及び第２偏光成分を透過すると共に、前記最も波長の短い光以外の光の第２偏光成分を反射する第２の波長分離膜と、を有する第１の複合プリズムと、
２枚の１／４波長板と、該２枚の１／４波長板の間に配置される第５の波長分離膜とから構成され、前記第５の波長分離膜が、入射さされる入射光のうち、最も波長の短い光の第１偏光成分及び第２偏光成分を反射すると共に、それ以外の波長の光の第１偏光成分及び第２偏光成分を透過するように形成されている１／２波長板ユニットと、
を備えていることを特徴とする多波長分波素子。
【請求項８】
前記第１偏光成分は、前記第２偏光成分と直交関係にあることを特徴とする請求項１乃至７の何れか一項に記載の多波長分波素子。
【発明の詳細な説明】
【技術分野】
【０００１】
本発明は、複数の波長成分の光を含んだ多波長光を分波する多波長分波素子に関わり、特に波長間隔が短いランダム偏光を分波するのに好適なものである。
【背景技術】
【０００２】
近年、光伝送方式には波長分割多重（ＷＤＭ：Wavelength Division Multiplexing）方式が採用されており、光通信利用者の増大に伴い使用する波長数も増大する傾向にある。
波長分割多重（以下、「ＷＤＭ」という）は、１本のファイバケーブルにわずかに異なる波長のレーザー光を重ねて情報信号を伝送する技術であり、このようなＷＤＭ技術によれば情報を大容量かつ高速に伝送することが可能になる。
ところで、使用する波長数が増えると各波長（チャンネル）の間隔は狭くなるため、その際の光の偏光状態が問題となる。例えば、通常、光を分波する場合には、光分波素子に光を斜めに入射し、各波長の光路を変える必要がある。しかし、光源から出射される出射光は、Ｐ偏光光（以下、「Ｐ波」という）と、Ｓ偏光光（以下、「Ｓ波」という）が混在しているランダム偏光のため、Ｐ波とＳ波の両方を制御して光路を偏光する必要があった。なお、光を分波する光分波素子としては光分離プリズムが良く知られている。
図６は、従来の光分離プリズムの構成を示した図である。
この図６に示す光分離プリズム１００は、三角柱状の２つのガラスプリズム１０１、１０２を、波長分離膜１０３を介して接合することにより構成されている。
このような光分離プリズム１００では、光ファイバ１１０から入射される入射光１１１（λ１，λ２・・・λｎ）のうち、所定の波長成分λ１の入射光１１２が波長分離膜１０３により反射される一方、それ以外の波長成分（λ２，λ３・・λｎ）の入射光１１３が波長分離膜１０３を透過するように構成されている。
なお、関連技術としては、２つの三角柱状のプリズム片を、傾斜角度４５度の波長分離膜を介して接合することにより立方体に構成した光分離プリズムにおいて、波長分離膜に対する入射角度にずれが生じることに起因して発生する透過率上の問題を解決することができる光分離プリズムなどがある（特許文献１）。
【特許文献１】特開２０００−１６２４１３公報
【発明の開示】
【発明が解決しようとする課題】
【０００３】
しかしながら、従来の光分離プリズムでは、入射角が大きく、また入射媒質の屈折率が高いため、例えば図７（ａ）に示した波長分離膜の帯域特性から分かるように光分波を行う際のＰ／Ｓ偏波依存性が大きく、例えば１００ｎｍ程度まで波長間隔が短い場合には対応できないという欠点があった。
また、例えば図７（ｂ）に示すように、帯域特性を有する波長分離膜を設計することも考えられるが、この場合は膜構造が複雑で高度な膜厚制御精度が必要になるため、実現することが困難である。
そこで、本発明は、上記したような点を鑑みてなされたものであり、間隔が狭い波長の分波を行うことが可能な多波長分波素子を提供することを目的とする。
【課題を解決するための手段】
【０００４】
上記目的を達成するため、請求項１に記載の発明は、複数の異なる波長の光を入射光とする多波長分波素子であって、前記入射光のうち、最も波長の短い光の第１偏光成分を反射すると共に、前記入射光すべての第２偏光成分を反射し、且つ、前記最も波長の短い光以外の光の第１偏光成分を透過する第１の波長分離膜と、前記第１の波長分離膜により反射された光のうち、最も波長の短い光の第１偏光成分及び第２偏光成分を透過すると共に、前記最も波長の短い光以外の光の第２偏光成分を反射する第２の波長分離膜と、を有する第１の複合プリズムと、複数の異なる波長の第１偏光成分の光を入射光とし、該入射光のうち、最も波長の短い光の第１偏光成分を反射すると共に、それ以外の光の第１偏光成分を透過する第３の波長分離膜と、複数の異なる波長の第２偏光成分の光を入射光とし、該入射光のうち、最も波長の短い光の第２偏光成分を反射すると共に、それ以外の光の第２偏光成分を透過する第４の波長分離膜と、を有する第２の複合プリズムと、を備えていることを特徴とする。
また請求項２に記載の発明は、請求項１に記載の多波長分波素子において、前記第１の複合プリズムの第１の波長離膜を透過した光が前記第２の複合プリズムの第３の波長分離膜側の入射光であり、前記第１の複合プリズムの第２の波長分離膜を反射した光が前記第２の複合プリズムの第４の波長分離膜側の入射光であることを特徴とする。
また請求項３に記載の発明は、請求項１に記載の多波長分波素子において、前記第１の複合プリズムと前記第２の複合プリズムとの間に１／２波長板を設けたことを特徴とする。
また請求項４に記載の発明は、請求項１に記載の多波長分波素子において、前記第２の複合プリズムを、前記第２の複合プリズムの透過経路上に複数配置したことを特徴とする。
【０００５】
また請求項５に記載の発明は、請求項４に記載の多波長分波素子において、前記第２の複合プリズム間に１／２波長板を設けたことを特徴とする。
また請求項６に記載の発明は、３つの異なる波長の光を入射光とする多波長分波素子であって、前記入射光のうち、最も波長の短い光の第１偏光成分を反射すると共に、前記入射光すべての第２偏光成分を反射し、且つ、前記入射光のうち、最も波長の短い光以外の２つの光の第１偏光成分を透過する第１の波長分離膜と、前記第１の波長分離膜により反射された光のうち、最も波長の短い光の第１偏光成分及び第２偏光成分を透過すると共に、前記最も波長の短い光以外の２つの光の第２偏光成分を反射する第２の波長分離膜と、前記第１の波長分離膜を透過した光のうち、波長が短い方の光の第１偏光成分を反射すると共に、波長の長い方の光の第１偏光成分を透過する第３の波長分離膜と、前記第２の波長分離膜により反射された光のうち、波長が短い方の光の第２偏光成分を反射すると共に、波長の長い方の光の第２偏光成分を透過する第４の波長分離膜と、を備えていることを特徴とする。
また請求項７に記載の発明は、複数の異なる波長の光を入射光とする多波長分波素子であって、前記入射光のうち、最も波長の短い光の第１偏光成分を反射すると共に、前記入射光すべての第２偏光成分を反射し、且つ、前記最も波長の短い光以外の光の第１偏光成分を透過する第１の波長分離膜と、前記第１の波長分離膜により反射された光のうち、最も波長の短い光の第１偏光成分及び第２偏光成分を透過すると共に、前記最も波長の短い光以外の光の第２偏光成分を反射する第２の波長分離膜と、を有する第１の複合プリズムと、２枚の１／４波長板と、該２枚の１／４波長板の間に配置される第５の波長分離膜とから構成され、前記第５の波長分離膜が、入射さされる入射光のうち、最も波長の短い光の第１偏光成分及び第２偏光成分を反射すると共に、それ以外の波長の光の第１偏光成分及び第２偏光成分を透過するように形成されている１／２波長板ユニットと、を備えていることを特徴とする。
また請求項８に記載の発明は、請求項１乃至７のいずれか一項に記載の多波長分波素子において、前記第１偏光成分は前記第２偏光成分と直交関係にあることを特徴とする。
【発明の効果】
【０００６】
請求項１又は請求項２に記載の発明によれば、第１の複合プリズムにより最も短い波長の光の第１偏光成分及び第２偏光成分を分離し、第２の複合プリズムにより次に波長の短い光の第１偏光成分及び第２偏光成分を分離するようにしている。この結果、従来、波長間隔が１００ｎｍ程度の場合でも困難であった第１偏光成分及び第２偏光成分の分波を、波長間隔が２０ｎｍ程度の場合でも実現することができるようになる。
また請求項３に記載の発明によれば、第１の複合プリズムと第２の複合プリズムとの間に１／２波長板を設けたことにより、分波する各波長成分を１８０°対向系にすることができる。これにより、モジュール構造の小型化を図ることが可能になる。
また請求項４に記載の発明によれば、第２の複合プリズムを第２の複合プリズムの透過経路に複数配置してアレイ化すれば、さらに多数の波長の光を第１偏光成分及び第２偏光成分に分離することができるようになる。
また請求項５に記載の発明によれば、第２の複合プリズムが複数配置したアレイ化したときは、第２の複合プリズム間に１／２波長板を設けることで、分波する各波長成分を１８０°対向系にすることができる。これにより、モジュール構造の小型化を図ることが可能になる。
請求項６に記載の発明によれば、波長間隔が２０ｎｍ程度とされる３つの異なる波長の光が入射光であった場合でも第１偏光成分及び第２偏光成分に分離することができる。
また請求項７に記載の発明によれば、上記請求項３と同等の効果が得られる。また部品点数が少なくて済むため、小型化、低コスト化が可能であるという利点がある。
また請求項８に記載の発明によれば、第１偏光成分と第２偏光成分とは直交関係にあることから、第１偏光成分を光源からの光のＰ偏光成分、第２偏光成分を同じく光源からの光のＳ偏光成分とすることができる。
【発明を実施するための最良の形態】
【０００７】
以下、図面を参照して、本発明の多波長分波素子の実施形態について説明する。図１は、本発明の第１の実施形態に係る多波長分波素子の概略構成を示した図である。なお、本実施形態では光ファイバから入射される入射光を３つの波長成分（λ１、λ２、λ３、但しλ１＜λ２＜λ３であるとする）に分波する場合を例に挙げて説明する。
この図１に示す多波長分波素子１は、第１の複合プリズム１０と第２の複合プリズム２０により構成されている。
第１の複合プリズム１０は、キュービックプリズム１１とキュービックプリズム１２とを接合して構成されている。キュービックプリズム１１は、三角柱状の２つのガラスプリズム１３、１４を、第１の波長分離膜１５を介して接合することにより構成される。またキュービックプリズム１２は三角柱状の２つのガラスプリズム１６、１７を、第２の波長分離膜１８を介して接合することにより構成される。
同様に第２の複合プリズム２０はキュービックプリズム２１とキュービックプリズム２２を接合して構成されている。キュービックプリズム２１は三角柱状の２つのガラスプリズム２３、２４を、第３の波長分離膜２５を介して接合することにより構成される。またキュービックプリズム２２は三角柱状の２つのガラスプリズム２６、２７を、第４の波長分離膜２８を介して接合することにより構成される。
【０００８】
第１の複合プリズム１０に設けられている第１の波長分離膜１５は、図２（ａ）に示したように、光ファイバ２から入射される複数の波長（λ１、λ２、λ３）を含むランダム偏光３１のうち、最も波長が短い波長λ１の第１の偏光波（Ｐ波）Ｐ１を反射する一方、それ以外の波長λ２、λ３のＰ波Ｐ２、Ｐ３を透過するような帯域特性を有する。また第１の波長分離膜１５は、光ファイバ２から入射される波長λ１、λ２、λ３の第２偏光波（Ｓ波）Ｓ１、Ｓ２、Ｓ３を反射するような帯域特性を有する。
また同じく第１の複合プリズム１０に設けられている第２の波長分離膜１８は、図２（ｂ）に示したように、入射される波長λ１のＳ波Ｓ１を透過し、波長λ２、λ３のＳ波Ｓ２、Ｓ３については反射するような帯域特性を有する。また、第２の波長分離膜１８は波長λ１、λ２、λ３のＰ波Ｐ１、Ｐ２、Ｐ３を透過するような帯域特性を有する。従って、この場合は第１の波長分離膜１５において反射した波長λ１のＰ波Ｐ１とＳ波Ｓ１だけが第２の波長分離膜１８を透過することになる。
このように第１の複合プリズム１０においては、光ファイバ２から入射されたランダム偏光３１から、最も短い波長λ１のＰ波Ｐ１及びＳ波Ｓ１だけを分離することができる。
【０００９】
また第２複合プリズム２０に設けられている第３の波長分離膜２５は、図２（ｃ）に示したように、次に短い波長λ２のＰ波Ｐ２を反射し、波長λ３のＰ波Ｐ３を透過するような帯域特性を有する。
また第２の複合プリズム２０に設けられている第４の波長分離膜２５は、図２（ｄ）に示したように、波長λ１、λ２のＳ波Ｓ１、Ｓ２を反射し、波長λ３のＳ波Ｓ３を透過するような帯域特性を有する。従って、第４の波長分離膜２８では、第２の波長分離膜１８を介して入射される波長λ２、λ３のＳ波Ｓ２、Ｓ３のうち、λ２のＳ波Ｐ２を反射し、λ３のＳ波Ｐ３を透過することになる。
従って、第２の複合プリズム２０においては、第１の複合プリズム１０から入射された入射光に含まれる波長成分の中で最も短い波長λ２のＰ波Ｐ２及びＳ波Ｓ２を分離することができる。
【００１０】
また本実施の形態では、光ファイバ２から入射される複数の波長（λ１、λ２、λ３）を含むランダム偏光３１を分離するようにしているため、第２の複合プリズム２０において波長λ２のＰ波Ｐ２とＳ波Ｓ２を分離することにより、波長λ３のＰ波Ｐ３とＳ波Ｓ３についても分離することができる。
さらに、本実施の形態の多波長分波素子１を光通信帯に適用すれば、従来、λ／４構造の分離膜を用いて分離プリズムを構成したとしても、波長間隔が１００ｎｍ程度の場合でも困難であったＰ波及びＳ波の分波を、波長間隔が２０ｎｍ程度の場合でも分波することができるようになる。従って、本実施の形態の多波長分波素子１は、３つの波長が含まれているＷＤＭ方式の波長を分割するのに好適なものである。
なお、本実施形態の多波長分波素子１では、光ファイバ２から入射される３つの波長（λ１、λ２、λ３）を含むランダム偏光３１としているため、波長分離膜の分離特性が異なる２つの複合プリズム１０、２０により構成するようにしているが、例えば波長分離膜２５、２７の分離特性が異なる第２の複合プリズム２０を、第２の複合プリズム２０の透過経路（波長λ３のＰ波及びＳ波の出射経路）に複数並べてアレイ化すれば、さらに多数の波長（λ１，λ２，λ３・・・λｎ、但しλ１＜λ２＜λ３・・・＜λｎ）を含むランダム偏光３１を分離することができる。
【００１１】
次に、本発明の第２の実施形態に係る多波長分波素子について説明する。
図３は、本発明の第２の実施形態に係る多波長分波素子の概略構成を示した図である。なお、図１に示した多波長分波素子と同一部位には同一符号を付して詳細な説明は省略する。また第２の実施形態に係る多波長分波素子の波長分離膜の特性は上記図２と同じであるので図示は省略する。
この図３に示す多波長分波素子４０は、第１の複合プリズム１０と第２の複合プリズム２０との間に１／２波長板（ＨＷＰ）４１を設けるようにしている。１／２波長板４１は第１の複合プリズム１０から入射される波長λ２、λ３のＰ波Ｐ２、Ｐ３及びＳ波Ｓ２、Ｓ３を、それぞれＳ波Ｓ２’、Ｓ３’及びＰ波Ｐ２’、Ｐ３’に変換するようにしている。即ち分波された各波長が１８０°対向系になるようにしている。
このように構成した場合も、上記した第１の実施形態に係る多波長分波素子１と同様の効果が得られる。
また、上記第１の実施形態のように多波長分波素子を構成した場合、波長λ１、λ２の光（Ｐ波及びＳ波）が多波長分波素子の一方面（図中下方）から出力されている。
これに対して、第２の実施形態のように多波長分波素子を構成した場合、波長λ１の光（Ｐ波及びＳ波）と波長λ２の光（Ｐ波及びＳ波）が多波長分波素子の両側（図中上方及び下方）から出力することができる。
従って、第２の実施形態の多波長分波素子を用いて波長分割モジュールを構成すると、図４（ａ）に示すように受光部（ＰＤ）７１を横並びに配置することなく、図４（ｂ）に示すように各波長の光を受光する受光部７１を多波長分波素子の両側に配置することができる。よって、受光部７１の配線等を容易に行うことができる。
【００１２】
また、実際の受光部７１のサイズは、多波長分波素子を構成している複合プリズム１０、２０より大きいため、図４（ａ）に示すように受光部７１を多波長分波素子の片側に横並びに配置した場合と、図４（ｂ）に示すように受光部７１を多波長分波素子の両側に配置した場合を比較すると、受光部７１を両側に配置したほうが、受光部７１、７１の間隔Ｌ、即ち第１の複合プリズム１１と第２の複合プリズム２１との間隔Ｌを狭くできる（Ｌ２＜Ｌ１）。
よって、第１の実施形態の多波長分波素子と、第２の実施形態の多波長分波素子とでは、第２の実施形態の多波長分波素子のほうがモジュール化したときに、より小型化することができる。
なお、第２の実施形態の場合も、例えば波長分離膜２５、２８の分離特性が異なる第２の複合プリズム２０を第２の複合プリズム２０の透過経路（波長λ３のＰ波及びＳ波の出射経路）に複数並べると共に、それぞれの第２の複合プリズム２０間に、１／２波長板を設けるようにすれば、分波する各波長を１８０°対向させながら複数の波長（λ１，λ２，λ３・・・λｎ、但し、λ１＜λ２＜λ３・・・＜λｎ）を含むランダム偏光３１を分離することが可能できる。
【００１３】
図５は、本発明の第３の実施形態に係る多波長分波素子の概略構成を示した図である。なお、図１に示した多波長分波素子と同一部位には同一符号を付して詳細な説明は省略する。また第３の実施形態に係る多波長分波素子の波長分離膜の特性は上記図２と同じであるので図示は省略する。
この図５に示す多波長分波素子４０は、第１の複合プリズム１０と、１／２波長板ユニット５１とから構成される。１／２波長板ユニット５１は、２枚の１／４波長板（ＱＷＰ）５２、５３と、その間に挿入されている第５の波長分離膜５４によって形成されている。
この場合、第１の複合プリズム１０に設けられている第１の波長分離膜１５は、上記図１と同様、光ファイバ２から入射された複数の波長（λ１、λ２、λ３）を含むランダム偏光３１のうち、波長λ１のＰ波Ｐ１を反射する一方、それ以外の波長λ２、λ３のＰ波Ｐ２、Ｐ３を透過する。また光ファイバ２から入射された波長λ１、λ２、λ３のＳ波Ｓ１、Ｓ２、Ｓ３を反射する。また第２の波長分離膜１８では、波長λ１のＳ波Ｓ１を透過し、波長λ２、λ３のＳ波Ｓ２、Ｓ３については反射する。また第２の波長分離膜１８は波長λ１、λ２、λ３のＰ波Ｐ１、Ｐ２、Ｐ３を透過する。
従って、この場合は第１の波長分離膜１５において反射した波長λ１のＰ波Ｐ１とＳ波Ｓ１だけが第２の波長分離膜１８を透過することになる。
このように第１の複合プリズム１０においては、光ファイバ２から入射されたランダム偏光３１から、最も短い波長λ１のＰ波Ｐ１及びＳ波Ｓ１だけを分離することができる。
【００１４】
一方、第１の波長分離膜１５を透過した波長λ２、λ３のＰ波Ｐ２、Ｐ３、及び第２の波長分離膜１８により反射されたλ２、λ３のＳ波Ｓ２、Ｓ３は、１／２波長板ユニット５１に入射され、そのうち波長λ２のＰ波Ｐ２及びＳ波Ｓ２は第５の波長分離膜５４により反射される。この場合、波長λ２のＰ波Ｐ２及びＳ波Ｓ２は１／４波長板５２を往復することになるので、それぞれＰ／Ｓ変換されて、波長λ２のＰ波Ｐ２はＳ波Ｓ２’に変換された後、第１の波長分離膜１５で反射されて第１の複合プリズム１０の図中の上方側から出力されることになる。一方、波長λ２のＳ波Ｓ２はＰ波Ｐ２’に変換された後、第２の波長分離膜１８で反射された後、第１の波長分離膜１５を透過して第１の複合プリズム１０の図中上方側から出力されることになる。
また１／２波長板ユニット５１に設けられている第５の波長分離膜５４を透過した波長λ３のＰ波Ｐ３及びＳ波Ｓ３は、２枚の１／４波長板５２、５３を通過することになるので、それぞれＰ／Ｓ変換されて、波長λ３のＰ波Ｐ３はＳ波Ｓ３’、Ｓ波Ｓ３はＰ波Ｐ３’にそれぞれ変換された後、１／４波長板５３から出力されることになる。
このように構成した場合も、上記した図３に示した多波長分波素子４０と同等の効果を得ることができる。また部品点数を削減できるため、上記多波長分波素子４０より、小型化、低コスト化を図ることができる。
【図面の簡単な説明】
【００１５】
【図１】本発明の第１の実施形態に係る多波長分波素子の概略構成を示した図。
【図２】波長分離膜の帯域特性を示した図。
【図３】第２の実施形態に係る多波長分波素子の概略構成を示した図。
【図４】第１及び第２の実施形態の多波長分波素子を用いた波長分波モジュールの構造を示した図。
【図５】第３の実施形態に係る多波長分波素子の概略構成を示した図。
【図６】従来の多波長分波素子の概略構成を示した図。
【図７】従来の波長分離膜の帯域特性を示した図。
【符号の説明】
【００１６】
１  ４０  ５０  多波長分波素子、１０、２０  複合プリズム、１１、１２、２１、２２  キュービックプリズム、１３、１４、１６、１７、２３、２４  ガラスプリズム、１５、１８、２５、２８、５４  波長分離膜、４１  １／２波長板、５１  １／２波長板ユニット、５２、５３  １／４波長板、７１  ＰＤ
【図１】
2006135539.tif 000003
【図２】
2006135539.tif 000004
【図３】
2006135539.tif 000005
【図４】
2006135539.tif 000006
【図５】
2006135539.tif 000007
【図６】
2006135539.tif 000008
【図７】
2006135539.tif 000009